(57)【要約】【課題】表示部の気泡を捕獲部で捕獲すると共に、捕獲部で捕獲された気泡が表示部へ戻るのを抑制する。【解決手段】表示装置１０では、捕獲部２６が重力方向上側に位置する向きに表示媒体１２が向けられると、表示部２４に混入した気泡Ａが、その浮力により、表示部２４から通路５６を通り、隔壁５０の開口５２を通過して捕獲部２６に流入する。これにより、表示部２４に混入した気泡Ａが捕獲部２６に捕獲される。捕獲部２６が表示部２４に対して水平方向側に向けられた状態で、表示装置１０が運搬される場合や表示装置１０が使用される場合においても、捕獲部２６に捕獲された気泡Ａは、隔壁５０に形成された凸部５４に引っ掛かって、表示部２４へ戻りにくい。【選択図】図１
2011048089.tif 000002
【特許請求の範囲】
【請求項１】
粒子が分散された分散媒を有し、電界により前記粒子を移動させて画像を表示する表示部と、
前記表示部の分散媒中の気泡を捕獲する捕獲部と、
前記表示部側にある気泡を前記捕獲部へ流通可能に前記表示部と前記捕獲部との間に配置され、前記捕獲部に捕獲された気泡が前記表示部側へ戻ることを抑制する抑制構造を有する隔壁と、
を備える表示媒体。
【請求項２】
前記隔壁は、前記表示部側にある気泡が前記捕獲部へ流通可能な流通部の壁面の少なくとも一部を構成し、
前記抑制構造は、前記隔壁の前記流通部側の端部から前記捕獲部側へ突出する凸部で構成されている請求項１に記載の表示媒体。
【請求項３】
前記隔壁は、前記表示部側にある気泡が前記捕獲部へ流通可能な流通部の壁面の少なくとも一部を構成し、
前記抑制構造は、前記流通部側の端部が前記捕獲部側へ傾斜されている隔壁の形状である請求項１に記載の表示媒体。
【請求項４】
前記表示部及び前記捕獲部を含めた外形が長方形状とされ、その外形の長手方向端部に前記捕獲部が配置されている請求項１〜３のいずれか１項に記載の表示媒体。
【請求項５】
前記表示部は、複数に区画され、区画された各領域の外側へ気泡が流通可能とされている請求項１〜４のいずれか１項に記載の表示媒体。
【請求項６】
前記表示部の外周の少なくとも一部に形成され、前記表示部からの気泡を前記捕獲部へ流通可能にする流通路を備える請求項１〜５のいずれか１項に記載の表示媒体。
【請求項７】
前記捕獲部は、捕獲した気泡が前記表示部へ流通不能に前記表示部と仕切られている請求項１〜６のいずれか１項に記載の表示媒体。
【請求項８】
粒子が分散された分散媒を有し、電界により前記粒子を移動させて画像を表示する表示部と、
気泡を捕獲し、捕獲した気泡が前記表示部へ流通不能に前記表示部と仕切られた捕獲部と、
を備える表示媒体。
【請求項９】
請求項１〜８のいずれか１項に記載の表示媒体と、
前記表示媒体に設けられた電極間に電圧を印加して前記電界を形成する電界形成部と、
を備える表示装置。
【発明の詳細な説明】
【技術分野】
【０００１】
本発明は、表示媒体及び表示装置に関する。
【背景技術】
【０００２】
表示媒体としては、特許文献１に開示される表示媒体が公知である。特許文献１に開示される表示媒体１０によれば、セル１１の角部１１ａであってフレーム部材１６の内周側において、複数の柱状部材２２を設けることにより、セル１１の角部１１ａに発生した気泡が、柱状部材２２を含むセル１１内の壁面に接して安定的に保持される確率が高まるので、気泡３０の表示領域Ｅへの移動が抑制され、気泡３０による表示不良の発生を抑制することができる。
【０００３】
また、柱状部材２２は、フレーム部材１６との間に間隙を有するので、気泡３０は、フレーム部材１６と柱状部材２２とに接して、そのフレーム部材１６と柱状部材２２との間隙に安定的に保持されることにより、表示領域Ｅへの移動が抑制され、気泡３０による表示不良の発生を、より抑制することができる。
【先行技術文献】
【特許文献】
【０００４】
【特許文献１】特開２００６−２４３６１６号公報（図１）
【発明の概要】
【発明が解決しようとする課題】
【０００５】
本発明は、表示部の気泡を捕獲部で捕獲すると共に、捕獲部で捕獲された気泡が表示部へ戻るのを抑制することを課題とする。
【課題を解決するための手段】
【０００６】
請求項１の発明は、粒子が分散された分散媒を有し、電界により前記粒子を移動させて画像を表示する表示部と、前記表示部の分散媒中の気泡を捕獲する捕獲部と、前記表示部側にある気泡を前記捕獲部へ流通可能に前記表示部と前記捕獲部との間に配置され、前記捕獲部に捕獲された気泡が前記表示部側へ戻ることを抑制する抑制構造を有する隔壁と、を備える表示媒体である。
【０００７】
請求項２の発明は、前記隔壁は、前記表示部側にある気泡が前記捕獲部へ流通可能な流通部の壁面の少なくとも一部を構成し、前記抑制構造は、前記隔壁の前記流通部側の端部から前記捕獲部側へ突出する凸部で構成されている請求項１に記載の表示媒体である。
【０００８】
請求項３の発明は、前記隔壁は、前記表示部側にある気泡が前記捕獲部へ流通可能な流通部の壁面の少なくとも一部を構成し、前記抑制構造は、前記流通部側の端部が前記捕獲部側へ傾斜されている隔壁の形状である請求項１に記載の表示媒体である。
【０００９】
請求項４の発明は、前記表示部及び前記捕獲部を含めた外形が長方形状とされ、その外形の長手方向端部に前記捕獲部が配置されている請求項１〜３のいずれか１項に記載の表示媒体である。
【００１０】
請求項５の発明は、前記表示部は、複数に区画され、区画された各領域の外側へ気泡が流通可能とされている請求項１〜４のいずれか１項に記載の表示媒体である。
【００１１】
請求項６の発明は、前記表示部の外周の少なくとも一部に形成され、前記表示部からの気泡を前記捕獲部へ流通可能にする流通路を備える請求項１〜５のいずれか１項に記載の表示媒体である。
【００１２】
請求項７の発明は、前記捕獲部は、捕獲した気泡が前記表示部へ流通不能に前記表示部と仕切られている請求項１〜６のいずれか１項に記載の表示媒体である。
【００１３】
請求項８の発明は、粒子が分散された分散媒を有し、電界により前記粒子を移動させて画像を表示する表示部と、気泡を捕獲し、捕獲した気泡が前記表示部へ流通不能に前記表示部と仕切られた捕獲部と、を備える表示媒体である。
【００１４】
請求項９の発明は、請求項１〜８のいずれか１項に記載の表示媒体と、前記表示媒体に設けられた電極間に電圧を印加して前記電界を形成する電界形成部と、を備える表示装置である。
【発明の効果】
【００１５】
本発明の請求項１の構成によれば、請求項１に係る捕獲部及び抑制構造を備えない場合に比べ、表示部の気泡を捕獲部で捕獲すると共に、捕獲部で捕獲された気泡が表示部へ戻るのを抑制できる。
【００１６】
本発明の請求項２又は請求項３の構成によれば、請求項２又は請求項３に係る抑制構造を有さない場合に比べ、抑制構造を容易に構成できる。
【００１７】
本発明の請求項４の構成によれば、捕獲部が長手方向端部に配置されていない場合に比べ、捕獲部を重力方向上側に位置された場合に、捕獲部が気泡を捕獲しやすい。
【００１８】
本発明の請求項５の構成によれば、請求項５に係る表示部を備えない場合に比べ、捕獲部が気泡を捕獲しやすい。
【００１９】
本発明の請求項６の構成によれば、請求項６に係る流通路を備えない場合に比べ、捕獲部が気泡を捕獲しやすい。
【００２０】
本発明の請求項７の構成によれば、表示部と捕獲部とが仕切られていない場合に比べ、捕獲部で捕獲された気泡が表示部に戻らないようにできる。
【００２１】
本発明の請求項８の構成によれば、表示部と捕獲部とが仕切られていない場合に比べ、捕獲部で捕獲された気泡が表示部に戻らないようにできる。
【００２２】
本発明の請求項９の構成によれば、請求項９に係る表示媒体を備えない場合に比べ、捕獲部で捕獲された気泡が表示部に戻らないようにできる。
【図面の簡単な説明】
【００２３】
【図１】図１は、本実施形態に係る表示装置の全体構成を示す概略平面図である。
【図２】図２は、本実施形態に係る表示装置を部分的に拡大して示す概略断面図で     あり、移動性粒子群が背面基板側に位置している状態を示す。
【図３】図３は、本実施形態に係る表示装置を部分的に拡大して示す概略断面図で     あり、移動性粒子群が表面基板側へ位置している状態を示す。
【図４】図４は、本実施形態に係る表示媒体の製造方法を示す概略図である。
【図５】図５は、第１変形例に係る隔壁の構成を示す概略平面図である。
【図６】図６は、第２変形例に係る隔壁の構成を示す概略平面図である。
【図７】図７は、第３変形例に係る隔壁の構成を示す概略平面図である。
【図８】図８は、第４変形例に係る隔壁において、凸部を形成した構成を示す概略     平面図である。
【図９】図９は、第５変形例に係る表示媒体の構成を示す概略平面図である。
【図１０】図１０は、第６変形例に係る表示媒体の構成を示す概略平面図である。
【図１１】図１１は、第６変形例に係る表示媒体において、表示媒体の長手方向に隣接するセル同士において気泡の流通を可能にする構成を示す概略平面図である。
【図１２】図１２は、第７変形例に係る表示媒体の構成を示す概略平面図である。
【図１３】図１３は、第７変形例に係る表示媒体の構成を示す概略断面図である。
【図１４】図１４は、第７変形例に係る表示媒体の製造方法を示す概略図である。
【図１５】図１５は、第７変形例に係る表示媒体において、隔壁を有さない構成を     示す概略平面図である。
【発明を実施するための形態】
【００２４】
以下に、本発明に係る実施形態の一例を図面に基づき説明する。
【００２５】
（本実施形態に係る表示装置１０の構成）
まず、本実施形態に係る表示装置１０の構成を説明する。図１は、本実施形態に係る表示装置１０の全体構成を示す概略平面図である。図２及び図３は、本実施形態に係る表示装置１０を部分的に拡大して示す概略断面図である。
【００２６】
本実施形態に係る表示装置１０は、例えば、画像の保存及び書換えが可能な装置（具体的には、掲示板、回覧版、電子黒板、広告、看板、点滅標識、電子ペーパー、電子新聞、電子書籍、及び複写機・プリンタと共用できるドキュメントシートなど）として用いられるものである。具体的には、表示装置１０は、電気泳動により画像を表示するものであり、図１に示されるように、表示媒体１２を備えている。
【００２７】
この表示媒体１２は、画像を表示する表示部２４と、表示部２４の気泡Ａを捕獲する捕獲部２６とを備えている。表示媒体１２は、表示部２４及び捕獲部２６を含めた外形が長方形状とされ、その外形の長手方向端部に捕獲部２６が配置されている。捕獲部２６は、表示媒体１２の短手方向の全域にわたって形成されている。また、本実施形態に係る表示媒体１２は、捕獲部２６が重力方向上側に位置する向きが、使用される際の標準姿勢となっている。なお、表示部２４の具体的な構成については後述する。
【００２８】
表示媒体１２の外周部には、図１に示されるように、後述の表面基板２０（図２及び図３参照）と後述の背面基板２２（図２及び図３参照）とを接合する接合部４２が、枠状に形成されている。この接合部４２は、表面基板２０と背面基板２２とを接合する接合材７６（図４参照）によって構成されている。接合部４２が表示部２４及び捕獲部２６の外周を囲んで表面基板２０と背面基板２２とを接合することにより、表示部２４及び捕獲部２６が封止されている。
【００２９】
また、表示媒体１２は、図２及び図３に示されるように、画像表示面とされる表面基板２０と、表面基板２０との間に間隙をもって表面基板２０に対向配置される背面基板２２とを備えている。表面基板２０は、支持基板３８と、支持基板３８の背面基板２２に対する対向面に形成された表面電極４０と、を備えて構成されている。背面基板２２は、支持基板４４と、支持基板４４の表面基板２０に対する対向面に形成された背面電極４６と、を備えて構成されている。
【００３０】
表面基板２０及び背面基板２２のうち、少なくとも表面基板２０は、透光性を有している。ここで、本実施形態における透光性とは、可視光の透過率が６０％以上であることを指している。
【００３１】
支持基板３８及び支持基板４４としては、例えば、ガラスや、プラスチック、ポリエチレンテレフタレート樹脂、ポリエチレンナフタレート樹脂、ポリカーボネート樹脂、アクリル樹脂、ポリイミド樹脂、ポリエステル樹脂、エポキシ樹脂、ポリエーテルサルフォン樹脂等が用いられる。
【００３２】
なお、支持基板３８及び支持基板４４は、可撓性を有するものであっても良いし、可撓性を有しないものであっても良いが、後述のように、表示媒体１２がロールｔｏロール方式により製造される場合には、可撓性を有するものが選択される。
【００３３】
表面電極４０及び背面電極４６としては、例えば、インジウム・スズ・カドミウム・アンチモン等の酸化物、ＩＴＯ等の複合酸化物、金・銀・銅・ニッケル等の金属、ポリピロールやポリチオフェン等の有機材料等が用いられる。これらの材料は、例えば、単層膜、混合膜あるいは複合膜として用いられる。また、これらの材料は、例えば、蒸着法、スパッタリング法、塗布法、ＣＶＤ法（気相成長法）等によって形成される。
【００３４】
また、表示装置１０は、図２及び図３に示されるように、表示媒体１２に電圧を印加して表示媒体１２内に電界を形成する電界形成部１６を備えている。この電界形成部１６は、表面電極４０及び背面電極４６に電気的に接続されている。電界形成部１６は、表面電極４０及び背面電極４６に電圧を印加するための電圧印加装置であり、電界形成部１６によって電圧を表面電極４０及び背面電極４６間に印加することにより、表面電極４０及び背面電極４６との間に電界が形成されるようになっている。なお、表示装置１０の電界形成部１６は、表示媒体１２（表面電極４０及び背面電極４６）と切り離し可能に接続されていても良い。この場合においては、例えば、表示媒体１２の書き換えや表示が必要な時のみに、表示媒体１２を電界形成部１６に接続して画像情報の表示を行い、保存時は互いに切り離しておいて表示媒体１２の可搬性を良くするように構成される。
【００３５】
なお、上記の構成では、表面基板２０及び背面基板２２の双方に電極（表面電極４０及び背面電極４６）を備えていたが、何れか一方にだけ設けるようにしても良い。この場合では、例えば、表面電極４０及び背面電極４６の一方が接地され、他方が電界形成部１６に接続される。
【００３６】
（本実施形態に係る表示部２４の構成）
次に、本実施形態に係る表示部２４の構成について説明する。
本実施形態に係る表示部２４は、図１、図２及び図３に示すように、表面基板２０と背面基板２２との基板間を複数に区画する区画部材３２を備えている。
【００３７】
この区画部材３２は、表面基板２０と背面基板２２との基板間の間隔を保持する機能と、表面基板２０と背面基板２２との基板間の間隙を複数に区画する機能とを有している。なお、区画部材３２としては、表面基板２０と背面基板２２との基板間の間隔を保持する機能のみを有し、その基板間の間隙を区画しない構成であっても良い。
【００３８】
区画部材３２によって区画された領域（以下、セルという）は、表面基板２０と、背面基板２２と、区画部材３２と、によって囲まれて構成されている。区画部材３２は、表示媒体１２に画像を表示したときの各画素に対応するようにセルを二次元状に形成している。
【００３９】
また、区画部材３２は、熱可塑性樹脂、熱硬化性樹脂、電子線硬化樹脂、光硬化樹脂、ゴム、金属等で形成される。
【００４０】
区画部材３２の形成方法は、例えば、接着性を持つ感光性樹脂（例えば、熱可塑性樹脂：アクリル樹脂、アクリレート、ウレタン等）の層を表面基板２０と背面基板２２の一方に形成した後、これにフォトリソグラフィー法を利用して露光して当該樹脂の層に潜像を形成し、現像することで形成する形成方法を用いても良い。また、熱ナノインプリントあるいは光ナノインプリント若しくはこれらを組み合わせたナノインプリントにより、樹脂をエンボス加工することで、区画部材３２を形成しても良い。また、その他の公知の方法を用いて区画部材３２を形成しても良い。
【００４１】
区画部材３２は有色でも無色でも良いが、表示媒体１２に表示される表示画像に悪影響を及ぼさないように無色透明であることが望ましく、その場合には、例えば、ポリスチレンやポリエステルやアクリルなどの透明樹脂等が使用される。なお、「透明」とは、可視光に対して５０％以上の透過率を有することを指している。
【００４２】
また、本実施形態に係る表示部２４では、図２及び図３に示すように、移動性粒子群３４と、移動性粒子群３４が分散される分散媒３０とが、各セル内に封入されている。移動性粒子群３４が分散される分散媒３０としては、絶縁性液体であることが望ましい。ここで、「絶縁性」とは、体積抵抗値が１０７Ω・ｃｍ以上であることを指している。
【００４３】
具体的には、絶縁性液体として、例えば、ヘキサン、シクロヘキサン、トルエン、キシレン、デカン、ヘキサデカン、ケロセン、パラフィン、イソパラフィン、シリコーンオイル、変性シリコーンオイル、ジクロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に用いられる。
【００４４】
また、下記体積抵抗値となるように不純物を除去した水（所謂、純水）を、分散媒３０として用いても良い。該体積抵抗値としては、１０７Ω・ｃｍ以上であることが望ましく、１０７Ω・ｃｍ以上１０１９Ω・ｃｍ以下であることがさらに望ましく、さらに１０１０Ω・ｃｍ以上１０１９Ω・ｃｍ以下であることがより良い。この範囲の体積抵抗値とすることで、より効果的に、粒子群に電界が印加され、かつ、電極反応に起因する分散媒３０の電気分解による気泡の発生が抑制される。
【００４５】
なお、絶縁性液体には、必要に応じて、酸、アルカリ、塩、分散安定剤、酸化防止や紫外線吸収などを目的とした安定剤、抗菌剤、防腐剤などを添加しても良いが、上記で示した特定の体積抵抗値の範囲となるように添加することが望ましい。
【００４６】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加しても良い。
【００４７】
また、分散媒３０としては、高分子樹脂を用いても良い。高分子樹脂としては、高分子ゲル、高分子ポリマー等であることが望ましい。具体的には、高分子樹脂として、例えば、ゼラチン、ポリビニルアルコール、ポリ（メタ）アクリルアミド等が用いられる。これら高分子樹脂は、上記の絶縁性液体と共に分散媒３０として用いても良い。
【００４８】
各セル内に封入されている移動性粒子群３４は、複数の粒子から構成されており、この分散媒３０中に分散され、セル内に形成された電界の向き強度に応じて表面基板２０と背面基板２２との基板間を移動するようになっている。
【００４９】
この移動性粒子群３４の各移動性粒子としては、ガラスビーズ、アルミナ、酸化チタン等の絶縁性の金属酸化物粒子等、熱可塑性若しくは熱硬化性樹脂粒子、これらの樹脂粒子の表面に着色剤を固定したもの、熱可塑性若しくは熱硬化性樹脂中に絶縁性の着色剤を含有する粒子、及びプラズモン発色機能を有する金属コロイド粒子等が用いられる。
【００５０】
移動性粒子の樹脂には、必要に応じて、帯電性を制御する帯電制御剤を混合しても良い。また、移動性粒子の内部や表面には、必要に応じて、磁性材料を混合しても良い。また、移動性粒子の表面には、必要に応じて、外添剤を付着させても良い。
【００５１】
また、本実施形態に係る表示部２４では、図２及び図３に示すように、反射部材３６が、各セル内に封入されている。反射部材３６は、表面基板２０と背面基板２２との基板間において、表面基板２０の板面方向の全面に渡って存在するように配置されている。
【００５２】
この反射部材３６は、移動性粒子群３４を構成する粒子とは異なる光学的反射特性を有している。反射部材３６同士の間には、移動性粒子群３４を構成する各粒子が通過可能な空隙が形成されている。なお、反射部材３６は、分散媒３０中に分散されており、移動性粒子群３４が移動する際に、分散媒３０の流動と共に移動して移動性粒子を通過可能にする構成とされていても良い。
【００５３】
ここで、「移動性粒子群３４を構成する粒子とは異なる光学的反射特性を有する」とは、移動性粒子群３４だけが分散された分散媒３０と、反射部材３６とを対比して目視で観察した場合に、色度、明度、及び彩度において、両者の差異が識別できる差異があることを意味する。なお、これらの色度、明度、及び彩度のうち、特に色度が異なることが望ましい。
【００５４】
上記「識別できる差異」とは、例えば、色度が異なる場合には、具体的には、この移動性粒子群３４だけが分散された分散媒３０と、反射部材３６との各々におけるＣＩＥＬＡＢ値をＸ−Ｒｉｔｅ社製Ｘ−Ｒｉｔｅ４０４により測定したときのａ＊、ｂ＊の差が、５以上であることを指している。
【００５５】
本実施形態に係る表示部２４の構成によれば、電界形成部１６から表示媒体１２の表面電極４０と背面電極４６とに電圧が印加されると、印加された電圧に応じた電界が分散媒３０中に形成される。
【００５６】
この形成された電界によって、移動性粒子群３４が表面基板２０と背面基板２２との基板間を移動する。例えば、移動性粒子群３４を構成する粒子が負極に帯電されており、表面電極４０に正の電圧、背面電極４６に負の電圧が印加されると、移動性粒子群３４を構成する粒子は、反射部材３６の空隙を通って、背面基板２２側から表面基板２０側に移動する（図３参照）。このとき、表面基板２０側から目視すると、表面基板２０側に位置する移動性粒子群３４の粒子の色が、表示媒体１２の色として視認される。
【００５７】
一方、表面電極４０に負の電圧、背面電極４６に正の電圧が印加されると、移動性粒子群３４を構成する粒子は、反射部材３６の空隙を通って、表面基板２０側から背面基板２２側に移動する（図２参照）。このとき、表面基板２０側から目視すると、反射部材３６の色が、表示媒体１２の色として視認される。なお、反射部材３６が、移動性粒子と異なる極性に帯電され、表面電極４０及び背面電極４６への電圧印加の際に、基板間を移動性粒子とは反対方向に移動するように構成しても良い。
【００５８】
（本実施形態に係る隔壁５０の構成）
次に、本実施形態に係る隔壁５０の構成を説明する。
本実施形態に係る隔壁５０は、図１に示されるように、表示部２４側にある気泡Ａを捕獲部２６へ流通可能に表示部２４と捕獲部２６との間に配置されている。この隔壁５０は、平面視における表示媒体１２の短手方向に沿って、直線状に形成されている。また、隔壁５０は、表面基板２０から背面基板２２までの全領域に渡って形成されている。
【００５９】
隔壁５０には、表示部２４側にある気泡Ａが捕獲部２６へ流通可能な流通部の一例としての開口５２が形成されている。すなわち、開口５２は、残留及び発生が想定される気泡Ａの大きさよりも大きく形成されている。隔壁５０の端面が開口５２の壁面の一部を構成している。
【００６０】
開口５２は、平面視における隔壁５０の長手方向中央部に配置されている。なお、開口５２が配置される位置は、平面視における隔壁５０の長手方向端部側（例えば、隔壁５０と接合部４２の間）であっても良い。また、開口５２は、複数形成されていても良い。また、開口５２の形状は、気泡Ａが通過可能であれば、どのような形状であっても良い。
【００６１】
また、開口５２は、例えば、表面基板２０から背面基板２２までの全領域に渡って、隔壁５０の一部を切り欠ける（形成しない）ことにより形成されている。なお、開口５２は、表面基板２０から背面基板２２までの全領域ではなく、一部領域において切り欠ける（形成しない）ことにより形成される構成であっても良い。また、流通部としては、隔壁５０ではなく、表面基板２０又は背面基板２２と隔壁５０とを接合する接合層の一部を切り欠ける（形成しない）ことにより形成された開口であっても良い。
【００６２】
隔壁５０は、捕獲部２６に捕獲された気泡Ａが表示部２４側へ戻ることを抑制する抑制構造を有している。この抑制構造は、具体的には、隔壁５０の開口５２側の端部（開口５２の縁）から捕獲部２６側へ突出する凸部５４で構成されている。凸部５４は、表面基板２０から背面基板２２までの全領域に渡って形成されている。なお、凸部５４は、表面基板２０から背面基板２２までの全領域ではなく、一部領域において形成される構成であっても良い。
【００６３】
また、隔壁５０と表示部２４との間には、表示部２４からの気泡Ａを開口５２へ流通可能とする通路５６が、隔壁５０に沿って形成されている。通路５６は、残留及び発生が想定される気泡Ａの大きさよりも広い通路幅に形成されている。
【００６４】
（本実施形態に係る表示装置１０の作用）
次に、本実施形態に係る表示装置１０の作用について説明する。
本実施形態に係る表示装置１０では、捕獲部２６が重力方向上側に位置する向きに表示媒体１２が向けられると、表示部２４に混入した気泡Ａが、その浮力により、表示部２４から通路５６を通り、隔壁５０の開口５２を通過して捕獲部２６に流入する。これにより、表示部２４に混入した気泡Ａが捕獲部２６に捕獲される。
【００６５】
捕獲部２６が重力方向上側に向けられた状態で、表示部２４に画像を表示して表示装置１０が使用される場合においては、捕獲部２６に捕獲された気泡Ａは、捕獲部２６に留まり、表示部２４へ戻らない。
【００６６】
また、捕獲部２６が表示部２４に対して水平方向側に位置する向きに表示媒体１２が向けられた状態で、表示装置１０が運搬される場合や表示装置１０が使用される場合においても、捕獲部２６に捕獲された気泡Ａは、隔壁５０に形成された凸部５４に引っ掛かって、表示部２４へ戻りにくい。
【００６７】
以上のように、捕獲部２６で捕獲された気泡Ａが表示部２４へ戻りにくいので、表示部２４にて表示される画像が気泡Ａの影響を受けにくくなる。
【００６８】
なお、表示部２４に残留及び発生する気泡Ａとしては、製造時に混入する気泡と経時的に発生する気泡とが考えられる。
【００６９】
経時的に発生する気泡としては、例えば、電極反応に起因する分散媒３０の電気分解により発生する気泡が考えられる。また、分散媒３０中に溶解していた気体が気化して発生する気泡も考えられる。
【００７０】
製造時に混入する気泡としては、例えば、移動性粒子群３４が分散された分散媒３０を表面基板２０と背面基板２２との間に充填して、表面基板２０と背面基板２２とを貼り合わせる際に、基板間の空間体積よりも少ない量の分散媒３０が充填されることにより、その空間体積に対する不足分が気泡として基板間に残留する場合が考えられる。
なお、図５に示されるように、隔壁５０は、捕獲部２６に捕獲された気泡Ａが表示部２４側へ戻ることを抑制する抑制構造として、凸部５４の先端から隔壁５０に沿って外周側へ形成された凸部５８を有する構成であってもよい（第１変形例）。
図５の構成によれば、捕獲部２６に捕獲された気泡Ａは、凸部５４や凸部５８に引っ掛かりやすく、表示部２４へ戻りにくくなる。特に、隔壁５０、凸部５４及び凸部５８に囲まれた領域に入り込んだ気泡Ａは、凸部５４及び凸部５８を迂回しないと、表示部２４に到達しないので、表示部２４に戻りにくくなる。
【００７１】
（本実施形態に係る表示媒体１２の製造方法の一例）
次に、本実施形態に係る表示媒体１２の製造方法の一例について説明する。図４は、本実施形態に係る表示媒体１２の製造方法を示す概略図である。
【００７２】
当該製造方法においては、図４に示されるように、表面基板２０及び背面基板２２が、それぞれ、巻付部材７０、７２に予めロール状に巻き付けられている。また、背面基板２２には、区画部材３２及び隔壁５０が予め形成されている。
【００７３】
この製造方法では、まず、ロール状に巻き付けられた背面基板２２が巻付部材７２から巻き出されて搬送され、その搬送される背面基板２２の外周部には、塗布装置７４によって接合材７６が塗布される。
【００７４】
次に、接合材７６が外周部に塗布された背面基板２２には、移動性粒子群３４が分散された分散媒３０が、充填装置７８によって、区画部材３２により区画された各セル内、通路５６及び捕獲部２６に充填される。このとき、分散媒３０は、全セル（表示部２４）の体積以上であって、表面基板２０と背面基板２２との間の空間体積（表示部２４、通路５６及び捕獲部２６を含めた体積）以下の量が充填される。
【００７５】
次に、分散媒３０が充填された背面基板２２は、巻付部材７０から巻き出された表面基板２０と重ねられた状態でロール８０に挟まれて、表面基板２０と貼り合わされる。このとき、捕獲部２６は、表示部２４に対して、背面基板２２の搬送方向上流側に形成される。セル内に残留した気泡Ａは、ロール８０のロール圧力によって搬送方向上流側にしごかれ、隔壁５０の開口５２を通じて捕獲部２６に流入して捕獲部２６に捕獲される。
【００７６】
次に、硬化装置８２によって接合材７６を硬化（例えば、紫外線硬化）して、背面基板２２及び表面基板２０をその外周部において固着して接合部４２を形成し、表示媒体１２が完成する。次に、背面基板２２と表面基板２０とが固着された表示媒体１２は、巻取部材８６によってロール状に巻き取られる。
【００７７】
なお、区画部材３２は、予め背面基板２２に形成する構成に限られず、例えば、区画部材３２を予めロール状に巻いておき、巻き出して背面基板２２に貼り付けながら、分散媒３０を充填する構成であっても良い。
【００７８】
（第２変形例に係る隔壁１５０の構成）
次に、第２変形例に係る隔壁１５０の構成について説明する。図６は、第２変形例に係る隔壁１５０の構成を示す概略平面図である。
【００７９】
第２変形例に係る隔壁１５０は、図６に示されるように、表示部２４側にある気泡Ａを捕獲部２６へ流通可能に表示部２４と捕獲部２６との間に配置されている。
【００８０】
隔壁１５０には、表示部２４側にある気泡Ａを捕獲部２６へ流通可能な流通部の一例としての開口１５２が形成されている。すなわち、開口１５２は、残留及び発生が想定される気泡Ａの大きさよりも大きく形成されている。
【００８１】
開口１５２は、平面視における隔壁１５０の長手方向中央部に形成されている。なお、開口１５２が形成される位置は、平面視における隔壁１５０の長手方向端部側（例えば、隔壁５０と接合部４２の間）であっても良い。また、開口１５２の形状は、気泡Ａが通過可能であれば、どのような形状であっても良い。
【００８２】
また、開口１５２は、例えば、表面基板２０から背面基板２２までの全領域に渡って、隔壁１５０の一部を切り欠ける（形成しない）ことにより形成されている。なお、開口１５２は、表面基板２０から背面基板２２までの全領域ではなく、一部領域において切り欠ける（形成しない）ことにより形成される構成であっても良い。また、流通部としては、隔壁１５０ではなく、表面基板２０又は背面基板２２と隔壁１５０とを接合する接合層の一部を切り欠ける（形成しない）ことにより形成された開口であっても良い。
【００８３】
第２変形例に係る隔壁１５０は、開口１５２側が捕獲部２６側へ傾斜される形状による抑制構造を有している。具体的には、隔壁１５０は、平面視において、外周から中央部に向かって徐々に図６における上側（捕獲部２６側）が先細りになるように、ハの字形状に形成されている。
【００８４】
なお、開口１５２が、平面視における隔壁１５０の長手方向一端部に配置される場合には、隔壁１５０の長手方向他端部から開口１５２のある長手方向一端部に向かって徐々に図６における上側が先細りになるように、隔壁１５０が形成される。
【００８５】
また、隔壁１５０と表示部２４との間には、表示部２４からの気泡Ａを開口１５２へ流通可能とする通路１５６が、隔壁１５０に沿って形成されている。通路１５６は、残留及び発生が想定される気泡Ａの大きさよりも広い通路幅に形成されている。
【００８６】
なお、上記の隔壁５０のように、隔壁１５０の開口１５２側の端部（開口１５２の縁）から捕獲部２６側へ突出する凸部を形成してもよい。
【００８７】
第２変形例の構成によれば、表示部２４からの気泡Ａが隔壁１５０を伝って開口１５２から捕獲部２６に流入しやすくなる。一方、捕獲部２６に捕獲された気泡Ａは、図６における上側の接合部４２と隔壁５０との間隔が、表示媒体１２の短手方向端部側より中央部側（開口１５２側）で狭くなっているので、表示部２４へ戻りにくくなる。
【００８８】
（第３変形例に係る隔壁３５０の構成）
次に、第３変形例に係る隔壁３５０の構成について説明する。図７は、第３変形例に係る隔壁３５０の構成を示す概略平面図である。
【００８９】
第３変形例に係る隔壁３５０は、迷路構造（ラビリンス構造）を有しており、具体的には、図７に示されるように、複数の隔壁３５０Ａ、３５０Ｂ、３５０Ｃで構成されている。
【００９０】
隔壁３５０Ａ、３５０Ｂ、３５０Ｃは、平面視における表示媒体１２の短手方向に沿って直線状に形成されると共に、平面視における表示媒体１２の長手方向に沿って間隔をあけて配置されている。隔壁３５０Ａ、３５０Ｂ、３５０Ｃの間隔は、残留及び発生が想定される気泡Ａの大きさよりも広くされている。
【００９１】
隔壁３５０Ａと接合部４２との間には、表示部２４側にある気泡Ａを捕獲部２６へ流通可能な流通部の一例としての開口３５２Ａが、平面視における表示媒体１２の短手方向一端側（図７における左側）に形成されている。隔壁３５０Ｂと接合部４２との間には、表示部２４側にある気泡Ａを捕獲部２６へ流通可能な開口３５２Ｂが、平面視における表示媒体１２の短手方向他端側（図７における右側）に形成されている。隔壁３５０Ｃと接合部４２との間には、表示部２４側にある気泡Ａを捕獲部２６へ流通可能な開口３５２Ｃが、平面視における表示媒体１２の短手方向一端側（図７における左側）に形成されている。すなわち、開口３５２Ａ、３５２Ｂ、３５２Ｃは、残留及び発生が想定される気泡Ａの大きさよりも大きくかつ、左右交互に形成されている。
【００９２】
以上により、隔壁３５０Ａ、３５０Ｂ、３５０Ｃの間には、平面視における表示媒体１２の短手方向の一端部（図７における左端部）から他端部（図７における右端部）に向かった後、その他端部（図７における右端部）から一端部（図７における左端部）へ向かうようにジグザグ状の通路が形成される。
【００９３】
また、開口３５２Ａ、３５２Ｂ、３５２Ｃは、それぞれ、例えば、表面基板２０から背面基板２２までの全領域に渡って、隔壁３５０Ａ、３５０Ｂ、３５０Ｃの一部を切り欠ける（形成しない）ことにより形成されている。なお、開口３５２Ａ、３５２Ｂ、３５２Ｃは、表面基板２０から背面基板２２までの全領域ではなく、一部領域において切り欠ける（形成しない）ことにより形成される構成であっても良い。また、流通部としては、隔壁３５０Ａ、３５０Ｂ、３５０Ｃではなく、表面基板２０又は背面基板２２と隔壁３５０Ａ、３５０Ｂ、３５０Ｃとを接合する接合層の一部を切り欠ける（形成しない）ことにより形成された開口であっても良い。
【００９４】
なお、隔壁３５０Ａと表示部２４との間には、表示部２４からの気泡Ａを開口３５２Ａへ流通可能とする通路３５６が、隔壁３５０Ａに沿って形成されている。
【００９５】
第３変形例に係る隔壁３５０の構成によれば、捕獲部２６に一旦捕獲された気泡Ａは、隔壁３５０Ａ、３５０Ｂ、３５０Ｃの間に形成されたジグザグ状の通路を通らないと、表示部２４に到達しないため、表示部２４へ戻りにくくなる。
【００９６】
なお、図８に示されるように、隔壁３５０Ａ、３５０Ｂ、３５０Ｃには、それぞれ、開口３５２Ａ、３５２Ｂ、３５２Ｃ側の端部に、捕獲部２６側に突出する凸部３５４を形成しても良い（第４変形例）。この構成によれば、捕獲部２６に捕獲された気泡Ａは、凸部３５４に引っ掛かりやすくなるため、さらに、表示部２４へ戻りにくくなる。
さらに、隔壁３５０Ａ、３５０Ｂ、３５０Ｃの少なくとも１つを、傾斜されて構成してもよい。
【００９７】
以上のように、本実施形態に係る表示媒体１２は、隔壁５０に替えて、第１変形例に係る隔壁、第２変形例に係る隔壁１５０、第３変形例に係る隔壁３５０及び第４変形例に係る隔壁のいずれか、又はそれらの組み合わせを用いて構成しても良く、隔壁としては、捕獲部２６に捕獲された気泡Ａが表示部２４へ戻ることを抑制する抑制構造を有するものであれば良い。
【００９８】
（第５変形例に係る表示媒体１１２）
次に、第５変形例に係る表示媒体１１２の構成について説明する。図９は、第５変形例に係る表示媒体１１２の構成を示す概略平面図である。
【００９９】
第５変形例に係る表示媒体１１２は、図９に示されるように、表示部２４からの気泡Ａを捕獲部２６へ流通可能にする流通路１６０を備えている。この流通路１６０は、通路５６と、通路５６の配置側以外の表示部２４の外周に沿って形成された通路１６０Ａ、１６０Ｂ、１６０Ｃとを備えて構成されている。
【０１００】
また、流通路１６０は、通路５６、通路１６０Ａ、１６０Ｂ、１６０Ｃによって、全セルの外周を囲んでおり、枠状をなしている。流通路１６０は、残留及び発生が想定される気泡Ａの大きさよりも広い通路幅に形成されている。
【０１０１】
第５変形例に係る表示媒体１１２の構成によれば、捕獲部２６が重力方向上側以外を向いた場合であっても、表示部２４に混入した気泡Ａが、その浮力により、流通路１６０の通路１６０Ａ、１６０Ｂ、１６０Ｃに流入する。
【０１０２】
その後、捕獲部２６が重力方向上側に向けられると、流通路１６０の通路１６０Ａ、１６０Ｂ、１６０Ｃに流入した気泡Ａが、その浮力により、通路５６を通り、隔壁５０の開口５２を通じて捕獲部２６に流入する。
【０１０３】
このように、一旦流通路１６０へ流入した気泡Ａは、捕獲部２６に捕獲されやすくなる一方、区画部材３２によりセルに戻りにくい。
【０１０４】
また、捕獲部２６に捕獲された気泡Ａが、流通路１６０に戻った場合でも、セルに戻りにくく、再度、捕獲部２６で捕獲されやすい。
【０１０５】
なお、流通路１６０は、長方形状の表示媒体１２の４辺のうちの２辺又は３辺に沿って形成される構成であっても良い。すなわち、流通路１６０は、例えば、通路５６及び通路１６０Ａで構成されていてもよく、通路５６及び通路１６０Ａ、１６０Ｂで構成されていてもよい。
【０１０６】
（第６変形例に係る表示媒体２１２）
次に、第６変形例に係る表示媒体２１２の構成について説明する。図１０は、第６変形例に係る表示媒体２１２の構成を示す概略平面図である。
【０１０７】
第６変形例に係る表示媒体２１２は、図１０に示されるように、セル外へ気泡を流通可能にする開口２６２が区画部材３２に形成されている。開口２６２は、例えば、表面基板２０から背面基板２２までの全領域に渡って区画部材３２の一部を切り欠けることにより形成される。なお、表面基板２０から背面基板２２までの全領域ではなく、一部領域において切り欠ける構成であっても良い。また、区画部材３２ではなく、表面基板２０又は背面基板２２と区画部材３２とを接合する接合層の一部を切り欠けることにより開口を形成する構成であっても良い。
【０１０８】
また、第６変形例に係る表示媒体２１２は、第５変形例に係る表示媒体１１２と同様に、表示部２４からの気泡Ａを捕獲部２６へ流通可能にする流通路１６０を備えている。この流通路１６０は、通路５６と、通路５６の配置側以外の表示部２４の外周に沿って形成された通路１６０Ａ、１６０Ｂ、１６０Ｃとを備えて構成されている。
【０１０９】
また、流通路１６０は、通路５６、通路１６０Ａ、１６０Ｂ、１６０Ｃによって、全セルの外周を囲んでおり、枠状をなしている。流通路１６０は、残留及び発生が想定される気泡Ａの大きさよりも広い通路幅に形成されている。
【０１１０】
開口２６２は、隣接するセル同士を通じさせて気泡Ａの流通を可能にする共に、セルとそのセルに隣接する流通路１６０とを通じさせて気泡Ａの流通を可能にしている。
【０１１１】
第６変形例に係る表示媒体２１２の構成によれば、セルに残留又は発生した気泡Ａが、開口２６２を通じて、隣接する重力方向上側のセルに流入する。セルに集められた気泡Ａが、その浮力により、重力方向上側の流通路１６０（通路５６・通路１６０Ａ、１６０Ｂ、１６０Ｃ）に流入する。
【０１１２】
捕獲部２６が重力方向上側に向けられると、通路１６０Ａ、１６０Ｃに流入した気泡Ａが、その浮力により、通路５６に流入すると共に、通路５６０に流入した気泡Ａが、その浮力により、隔壁５０の開口５２を通じて捕獲部２６に流入する。このように、セル内の気泡Ａが、効率よく捕獲部２６に捕獲される。
【０１１３】
なお、流通路１６０が形成されていない構成であっても良い。また、隣接するセル全てが流通するように開口２６２が形成される必要は無く、図１１に示されるように、例えば、表示媒体１２の長手方向に隣接するセル同士において気泡Ａが流通可能とされるように開口２６２が形成される構成であっても良い。
【０１１４】
（第７変形例に係る表示媒体３１２）
次に、第７変形例に係る表示媒体３１２の構成について説明する。図１２は、第７変形例に係る表示媒体３１２の構成を示す概略平面図である。図１３は、第７変形例に係る表示媒体３１２の構成を示す概略断面図である。
【０１１５】
第７変形例に係る表示媒体３１２は、図１２及び図１３に示されるように、捕獲部２６で捕獲した気泡Ａが表示部２４へ流通不能に、捕獲部２６が表示部２４とが仕切られている。具体的には、隔壁５０と表示部２４との間に形成された通路５６部分において、表面基板２０と背面基板２２とが固着されることにより、捕獲部２６と表示部２４とが仕切られている。なお、図１２及び図１３においては、表面基板２０と背面基板２２との固着部分が符号Ｋにて示されている。
【０１１６】
第７変形例に係る表示媒体３１２の構成によれば、捕獲部２６で捕獲された気泡Ａが、表示部２４に戻らず、表示部２４にて表示される画像が気泡Ａの影響を受けることがない。
【０１１７】
次に、第７変形例に係る表示媒体３１２の製造方法について説明する。図１４は、第７変形例に係る表示媒体３１２の製造方法を示す概略図である。
【０１１８】
当該製造方法においては、図１４に示されるように、表面基板２０及び背面基板２２が、それぞれ、巻付部材７０、７２に予めロール状に巻き付けられている。また、背面基板２２には、区画部材３２及び隔壁５０が予め形成されている。
【０１１９】
この製造方法では、まず、ロール状に巻き付けられた背面基板２２が巻付部材７２から巻き出されて搬送され、その搬送される背面基板２２の外周部には、塗布装置７４によって接合材７６が塗布される。
【０１２０】
次に、接合材７６が塗布された背面基板２２には、移動性粒子群３４が分散された分散媒３０が、充填装置７８によって、区画部材３２により区画された各セル内、通路５６及び捕獲部２６に充填される。このとき、分散媒３０は、全セル（表示部２４）の体積以上であって、表面基板２０と背面基板２２との間の空間体積（表示部２４、通路５６及び捕獲部２６を含めた体積）以下の量が充填される。
【０１２１】
次に、分散媒３０が充填された背面基板２２は、巻付部材７０から巻き出された表面基板２０と重ねられた状態でロール８０に挟まれて、表面基板２０と貼り合わされる。このとき、捕獲部２６は、表示部２４に対して、背面基板２２の搬送方向上流側に形成される。セル内に残留した気泡Ａは、ロール８０のロール圧力によって搬送方向上流側にしごかれ、隔壁５０の開口５２を通じて捕獲部２６に流入して捕獲部２６に捕獲される。
【０１２２】
次に、硬化装置８２によって接合材７６を硬化（例えば、紫外線硬化）して、背面基板２２及び表面基板２０がその外周部において固着されて、接合部４２が形成される。
【０１２３】
次に、外周部において表面基板２０と固着された背面基板２２は、表示部２４と捕獲部２６との間において、固着装置３８８が加熱及び加圧することにより、表面基板２０と固着され、表示部２４と捕獲部２６とが仕切られて表示媒体１２が完成する。そして、完成した表示媒体１２は、巻取部材８６によってロール状に巻き取られる。
【０１２４】
第７変形例に係る表示媒体３１２においては、図１５に示されるように、隔壁５０を有さない構成であっても良い。この構成では、表示部２４と捕獲部２６との間において、表面基板２０と背面基板２２とが固着されることにより、捕獲部２６と表示部２４とが仕切られる。この隔壁５０を有さない構成においても、例えば、図１４に示す製造方法によって製造される。
【０１２５】
なお、本実施形態に係る表示装置１０においては、第５変形例に係る表示媒体１１２、第６変形例に係る表示媒体２１２及び第７変形例に係る表示媒体３１２のいくつかを組み合わせて構成しても良い。また、第５変形例に係る表示媒体１１２、第６変形例に係る表示媒体２１２及び第７変形例に係る表示媒体３１２のいずれか、又はそれらの組み合わせに対して、第１変形例に係る隔壁、第２変形例に係る隔壁１５０、第３変形例に係る隔壁３５０、第４変形例に係る隔壁のいずれか、又はそれらの組み合わせを適用して構成しても良い。
【０１２６】
本発明は、上記の実施形態に限るものではなく、種々の変形、変更、改良が可能である。
【符号の説明】
【０１２７】
１０  表示装置、１２,１１２,２１２,３１２  表示媒体、１６  電界形成部、２４  表示部、２６  捕獲部、３０  分散媒、３２  区画部材、５０,１５０,２５０,３５０  隔壁、５２,１５２,２５２,２６２,３５２Ａ  開口、５４,３５４  凸部、１６０  流通路
【図１】
2011048089.tif 000003
【図２】
2011048089.tif 000004
【図３】
2011048089.tif 000005
【図４】
2011048089.tif 000006
【図５】
2011048089.tif 000007
【図６】
2011048089.tif 000008
【図７】
2011048089.tif 000009
【図８】
2011048089.tif 000010
【図９】
2011048089.tif 000011
【図１０】
2011048089.tif 000012
【図１１】
2011048089.tif 000013
【図１２】
2011048089.tif 000014
【図１３】
2011048089.tif 000015
【図１４】
2011048089.tif 000016
【図１５】
2011048089.tif 000017